(57)【要約】【課題】  ユーザデータの再送を抑制することによって伝送速度の低下を抑制でき、簡易な構成でユーザデータの誤りを訂正できる通信装置を提供する。【解決手段】  移動局１０は、通信相手から受信した制御データに応じて所定の複数の値から選択したものをパラメータに設定するパラメータ設定部２３と、このパラメータ設定部２３によって設定されたパラメータを用いて、通信相手から受信したユーザデータを処理する復号処理部２１と、この復号処理部２１によって処理されたユーザデータの誤りを検出する誤り検出部２２とを備えている。誤り検出部２２によって誤りが検出された場合に、パラメータ設定部２３において複数の値から選択したものとは別の値をパラメータに再設定し、復号処理部２１において通信相手から受信したユーザデータを再処理する。【選択図】      図１
2015201670.tif 000002
【特許請求の範囲】
【請求項１】
通信相手から受信した制御データに応じて所定の複数の値から選択したものをパラメータに設定するパラメータ設定部と、
前記パラメータ設定部によって設定された前記パラメータを用いて、前記通信相手から受信したユーザデータを処理する処理部と、
前記処理部によって処理されたユーザデータの誤りを検出する誤り検出部とを備え、
前記誤り検出部によって誤りが検出された場合に、パラメータ設定部において前記複数の値から選択したものとは別の値をパラメータに再設定し、前記処理部において前記通信相手から受信した前記ユーザデータを再処理することを特徴とする通信装置。
【請求項２】
前記パラメータは、前記ユーザデータのデータ長を示すものであることを特徴とする請求項１記載の通信装置。
【請求項３】
前記パラメータは、前記ユーザデータを伝送する通信リソースを示すものであることを特徴とする請求項１記載の通信装置。
【請求項４】
前記パラメータは、前記通信相手によってユーザデータに施された変調方式を示すものであることを特徴とする請求項１記載の通信装置。
【発明の詳細な説明】
【技術分野】
【０００１】
本発明は、通信相手から制御データおよびユーザデータを受信し、制御データに基づきユーザデータを処理する通信装置に関するものである。
【背景技術】
【０００２】
従来の通信装置では、再送制御を行う場合、CRC (Cyclic Redundancy Check; 巡回冗長検査) 等の誤り検出符号（制御データ）が付加されて送信されてきたユーザデータについて、付加された制御データを用いてユーザデータの誤り検出処理を行う。誤りが検出されたユーザデータについては、通信相手に対し当該ユーザデータを再送するよう要求し、誤りのない正常なユーザデータが受信できるようになるまでこれを繰り返す。たとえば、特許文献１を参照。
【０００３】
また、誤り訂正技術に関しては、たとえば、特許文献２などがある。
【０００４】
さらに、通信の技術標準規格では、送受信されたデータについてデータ誤りが発生する割合である誤り率として許容される数値が規定されている。誤り率が技術標準規格に規定された数値を超えなければ、正常に動作するよう保証されている。
【０００５】
この他に、次のような技術がある（たとえば、特許文献３を参照）。スケジューリングを担当している基地局では、基地局の干渉量を考慮して移動端末から送信されるデータの電力を制限することができるが、スケジューリングを担当していない基地局では、干渉量が許容量を超えても、移動端末から送信されるデータの電力を制限することができず、伝送品質が劣化することがある課題を解決する為に、干渉量が許容量を超えている基地局が移動端末から送信されるデータの送信電力を制御できるようにして、伝送品質の劣化を抑制することができる移動体通信システム及び移動端末を得ることを目的としたものである。その解決手段としては、複数の基地局におけるデータの受信状況に応じて、基地局制御装置が複数の基地局を上りパケット通信用アクティブセットの基地局又はソフトハンドオーバー用アクティブセットの基地局に振り分けるようにしている。このことによって、干渉量が許容量を超えている基地局が移動端末から送信されるデータの送信電力を制御することができるようになり、その結果、伝送品質を高めることができるなどの効果があるというものである。
【先行技術文献】
【特許文献】
【０００６】
【特許文献１】WO2012/063368A1 (特に段落0035)
【特許文献２】WO2013/145652A1
【特許文献３】WO2006/103823
【特許文献４】特開2005-151299
【非特許文献】
【０００７】
【非特許文献１】3GPP TS36.211 V10.7.0
【非特許文献２】3GPP TS36.212 V10.8.0
【非特許文献３】3GPP TS36.213 V10.12.0
【非特許文献４】3GPP TS36.214 V10.1.0
【発明の概要】
【発明が解決しようとする課題】
【０００８】
しかしながら、従来の通信装置では、誤り率が技術標準規格に規定された数値を超えていないような場合、つまり通信環境がそれほど悪化していない場合であるにも拘らず、誤りが検出されたユーザデータについては再送が発生するため、その分だけユーザデータの伝送速度が低下してしまう。
【０００９】
また、一般的な誤り訂正技術は、複雑な動作が必要でありそのための大掛かりな構成が必要となる。
【００１０】
本発明の目的は、ユーザデータの再送を抑制することによって伝送速度の低下を抑制でき、簡易な構成でユーザデータの誤りを訂正できる通信装置を提供することである。
【課題を解決するための手段】
【００１１】
本発明は、通信相手から受信した制御データに応じて所定の複数の値から選択したものをパラメータに設定するパラメータ設定部と、
前記パラメータ設定部によって設定された前記パラメータを用いて、前記通信相手から受信したユーザデータを処理する処理部と、
前記処理部によって処理されたユーザデータの誤りを検出する誤り検出部とを備え、
前記誤り検出部によって誤りが検出された場合に、パラメータ設定部において前記複数の値から選択したものとは別の値をパラメータに再設定し、前記処理部において前記通信相手から受信した前記ユーザデータを再処理することを特徴とする通信装置である。
【発明の効果】
【００１２】
以上のように本発明によれば、ユーザデータの再送を抑制することによって伝送速度の低下を抑制でき、かつ簡易な構成でユーザデータの誤りを訂正することができる。
【図面の簡単な説明】
【００１３】
【図１】本発明の実施の形態１に係る移動局の構成を示す図である。
【図２】本発明の実施の形態１に係る基地局の構成を示す図である。
【図３】本発明の実施の形態２に係る移動局の構成を示す図である。
【図４】本発明の実施の形態２に係る基地局の構成を示す図である。
【図５】誤りを含む無線リソースの割り当て内容を例示する図である。
【図６】誤りを訂正した無線リソースの割り当て内容を例示する図である。
【図７】本発明の実施の形態３に係る移動局の構成を示す図である。
【図８】本発明の実施の形態３に係る基地局の構成を示す図である。
【発明を実施するための形態】
【００１４】
実施の形態１．
実施の形態１は、データに付随するデータ長を決定するフラグの様な1bit程度の短い情報については、CRC誤りが発生した場合にはもう一方のデータフォーマットを復号することでデータを正しく復号するという内容である。
【００１５】
図１は、本発明の実施の形態１に係る移動局の構成を示す図である。移動局１０は、アンテナ１１、復調部１２、復号部１３、MAC(Media Access Control)部１４、RLC(Radio Link Control)部１５、PDCP(Packet Data Convergence Protocol)部１６およびGTPu(GPRS(General packet radio service) Tunneling Protocol for User Plane)部１７を備えている。復号部１３は、さらに、復号処理部２１、誤り検出部２２およびパラメータ設定部２３を備えている。
【００１６】
パラメータ設定部２３は、通信相手から受信した制御データに応じて所定の複数の値から選択したものをパラメータに設定する。ここでのパラメータは、例えばユーザデータのデータ長であり、このデータ長を示す制御データは１ビットで構成される。復号処理部２１は、パラメータ設定部２３によって設定されたパラメータを用いて、通信相手から受信したユーザデータを復号処理する。この復号処理部２１は、本発明の処理部に相当する。復号処理に限らず、ユーザデータに施す処理一般に適用可能である。誤り検出部２２は、復号処理部２１によって処理されたユーザデータの誤りを検出する。
【００１７】
次に、実施の形態１における移動局の動作を説明する。
【００１８】
アンテナ１１において受信したデータは、復調部１２に渡される。このデータは、通信相手において変調されたものであり、復調部１２においてこれに対応した復調処理が行われる。ここにいう変調および復調の処理は、3GPP TS36.211（非特許文献１）に規定された変調方式に基づくものである。復号部１３の復号処理部２１で処理するデータは、通信相手において符号化されたものであり、復号処理部２１ではこれに対応した復号処理が行われる。ここにいう符号化および復号の処理は、3GPP TS36.212（非特許文献２）に記載された符号化方式に基づくものである。
【００１９】
復号処理部２１の復号処理の後に、誤り検出部２２において誤り検出の一種であるCRCチェックがなされる。その結果として誤りが検出された場合には、パラメータ設定部２３において、複数の値から選択したものとは別の値をパラメータに再設定し、復号処理部２１において通信相手から受信したユーザデータを再処理する。ここでは、例えば、ユーザデータのデータ長を意味する1bit情報（制御データ）を反転させたデータ長を再設定し、反転後のデータフォーマットとみなして、復号処理部２１において復調後データを復号し直す。誤り検出部２２において、再び誤り検出処理を行い、誤りが検出されなければ、復号処理部２１に対して、もう片方のパラメータ（データフォーマット）に設定して復号した方のユーザデータをMAC部１４に出力する。
【００２０】
その後、MAC部１４、RLC部１５、PDCP部１６およびGTPu部１７でそれぞれ処理が行われ、上位処理に受け渡される。
【００２１】
図２は、本発明の実施の形態１に係る基地局の構成を示す図である。基地局３０は、アンテナ３１、復調部３２、復号部３３、MAC(Media Access Control)部３４、RLC(Radio Link Control)部３５、PDCP(Packet Data Convergence Protocol)部３６、GTPu(GPRS(General packet radio service) Tunneling Protocol for User Plane)部３７およびIP(Internet Protocol)部３８を備えている。復号部３３は、さらに、復号処理部４１、誤り検出部４２およびパラメータ設定部４３を備えている。
【００２２】
パラメータ設定部４３は、通信相手から受信した制御データに応じて所定の複数の値から選択したものをパラメータに設定する。ここでのパラメータは、例えばユーザデータのデータ長であり、このデータ長を示す制御データは１ビットで構成される。復号処理部４１は、パラメータ設定部４３によって設定されたパラメータを用いて、通信相手から受信したユーザデータを復号処理する。この復号処理部４１は、本発明の処理部に相当する。復号処理に限らず、ユーザデータに施す処理一般に適用可能である。誤り検出部４２は、復号処理部４１によって処理されたユーザデータの誤りを検出する。
【００２３】
次に、実施の形態１における基地局の動作を説明する。
【００２４】
アンテナ３１において受信したデータは、復調部３２に渡される。このデータは、通信相手において変調されたものであり、復調部３２においてこれに対応した復調処理が行われる。ここにいう変調および復調の処理は、3GPP TS36.211（非特許文献１）に規定された変調方式に基づくものである。復号部３３の復号処理部４１で処理するデータは、通信相手において符号化されたものであり、復号処理部４１ではこれに対応した復号処理が行われる。ここにいう符号化および復号の処理は、3GPP TS36.212（非特許文献２）に記載された符号化方式に基づくものである。
【００２５】
復号処理部４１の復号処理の後に、誤り検出部４２において誤り検出の一種であるCRCチェックがなされる。その結果として誤りが検出された場合には、パラメータ設定部４３において、複数の値から選択したものとは別の値をパラメータに再設定し、復号処理部４１において通信相手から受信したユーザデータを再処理する。ここでは、例えば、ユーザデータのデータ長を意味する1bit情報（制御データ）を反転させたデータ長を再設定し、反転後のデータフォーマットとみなして、復号処理部４１において復調後データを復号し直す。誤り検出部４２において、再び誤り検出処理を行い、誤りが検出されなければ、復号処理部４１に対して、もう片方のパラメータ（データフォーマット）に設定して復号した方のユーザデータをMAC部３４に出力する。
【００２６】
その後、MAC部３４、RLC部３５、PDCP部３６およびGTPu部３７でそれぞれ処理が行われ、IP部３８を経由して、MME(Mobility Management Entity)等の上位装置に受け渡される。
【００２７】
3GPP TS36.212（非特許文献２）にあるように、制御データに含まれる1bit程度の識別子によって、ユーザデータのデータ長を決定することがある。制御データを誤ると、制御情報が相手側(基地局から移動局に送られる場合は移動局、移動局から基地局に送られる場合は基地局)に通知されず、正しい制御が行われないという問題がある。この1bit程度の識別子に関しては、誤ると、ユーザデータの大きさを誤るので、正しい復号ができない。
【００２８】
実施の形態１によれば、1bit識別子のもう片方の結果を用いるだけで、正しい復号ができるのであれば、CRC誤りが発生した際に、もう片方の結果を自動的に実施し、CRC正常の結果が得られるならば、その制御情報を用いることで、送信元に不具合が発生した場合においても、正しく送信先が制御情報の内容を知ることが出来るようになるという効果がある。すなわち、ユーザデータの再送を抑制することによって伝送速度の低下を抑制でき、かつ簡易な構成でユーザデータの誤りを訂正することができる。
【００２９】
本実施の形態１は、実際の運用機器に適用しても良いし、移動機シミュレータやエアモニタなどの計測機器に適用しても良い。計測機器に適用する場合は、誤りの原因を自動的に発見するので、デバッグを早く行うことが出来る。
【００３０】
実施の形態２．
実施の形態２は、制御データに含まれる無線リソース割り当て情報が誤り、実際のデータの無線リソース割当て位置と異なる場合の一部回避方法である。
【００３１】
図３は、本発明の実施の形態２に係る移動局の構成を示す図である。移動局５０は、アンテナ１１、復調部１２、復号部１３、MAC(Media Access Control)部１４、RLC(Radio Link Control)部１５、PDCP(Packet Data Convergence Protocol)部１６およびGTPu(GPRS(General packet radio service) Tunneling Protocol for User Plane)部１７を備えている。復調部１２は、さらに、復調処理部２７およびパラメータ設定部２６を備えている。復号部１３は、さらに、復号処理部２１、誤り検出部２２およびリソース割当情報抽出部２４を備えている。
【００３２】
リソース割当情報抽出部２４は、通信相手から受信した制御データから割当てられた通信リソースの情報を抽出する。パラメータ設定部２６は、リソース割当情報抽出部２４によって抽出された通信リソース情報に応じて所定の複数の値から選択したものをパラメータに設定する。ここでのパラメータは、例えば通信チャネル等の通信リソースである。復調処理部２７は、パラメータ設定部２６によって設定されたパラメータを用いて、通信相手から受信したユーザデータを復調処理する。この復調処理部２７は、本発明の処理部に相当する。復調処理に限らず、ユーザデータに施す処理一般に適用可能である。誤り検出部２２は、復号処理部２１によって処理されたユーザデータの誤りを検出する。
【００３３】
次に、実施の形態２における移動局の動作を説明する。
【００３４】
アンテナ１１において受信したデータは、復調部１２に渡される。このデータは、通信相手において変調されたものであり、復調部１２においてこれに対応した復調処理が行われる。ここにいう変調および復調の処理は、3GPP TS36.211（非特許文献１）に規定された変調方式に基づくものである。復号部１３の復号処理部２１で処理するデータは、通信相手において符号化されたものであり、復号処理部２１ではこれに対応した復号処理が行われる。ここにいう符号化および復号の処理は、3GPP TS36.212（非特許文献２）に記載された符号化方式に基づくものである。
【００３５】
復号処理部２１の復号処理の後に、誤り検出部２２において誤り検出の一種であるCRCチェックがなされる。その結果として誤りが検出された場合には、リソース割当情報抽出部２４において通信リソースが抽出される。抽出されたパラメータとしての通信リソースは、リソース割当情報抽出部２４からパラメータ設定部２６に通知される。パラメータ設定部２６では、複数の値から選択したものとは別の値をパラメータに再設定し、復調処理部２７において通信相手から受信したユーザデータを再処理する。ここでは、例えば、使用可能な通信チャネル等の別の通信リソースを再設定し、復調処理部２７において受信したユーザデータを復調し直す。誤り検出部２２において、再び誤り検出処理を行い、誤りが検出されなければ、復号処理部２１に対して、再処理した方のユーザデータをMAC部１４に出力する。
【００３６】
その後、MAC部１４、RLC部１５、PDCP部１６およびGTPu部１７でそれぞれ処理が行われ、上位処理に受け渡される。
【００３７】
図４は、本発明の実施の形態２に係る基地局の構成を示す図である。基地局６０は、アンテナ３１、復調部３２、復号部３３、MAC(Media Access Control)部３４、RLC(Radio Link Control)部３５、PDCP(Packet Data Convergence Protocol)部３６、GTPu(GPRS(General packet radio service) Tunneling Protocol for User Plane)部３７、IP(Internet Protocol)部３８およびスケジューラ３９を備えている。復調部３２は、さらに、復調処理部４７を備えている。復号部３３は、さらに、復号処理部４１および誤り検出部４２を備えている。スケジューラ３９は、さらに、リソース割当情報抽出部４４およびパラメータ設定部４６を備えている。
【００３８】
リソース割当情報抽出部４４は、通信相手から受信した制御データから割当てられた通信リソースの情報を抽出する。パラメータ設定部４６は、リソース割当情報抽出部４４によって抽出された通信リソース情報に応じて所定の複数の値から選択したものをパラメータに設定する。ここでのパラメータは、例えば通信チャネル等の通信リソースである。復調処理部４７は、パラメータ設定部４６によって設定されたパラメータを用いて、通信相手から受信したユーザデータを復調処理する。この復調処理部４７は、本発明の処理部に相当する。復調処理に限らず、ユーザデータに施す処理一般に適用可能である。誤り検出部４２は、復号処理部４１によって処理されたユーザデータの誤りを検出する。
【００３９】
次に、実施の形態２における基地局の動作を説明する。
【００４０】
アンテナ３１において受信したデータは、復調部３２に渡される。このデータは、通信相手において変調されたものであり、復調部３２においてこれに対応した復調処理が行われる。ここにいう変調および復調の処理は、3GPP TS36.211（非特許文献１）に規定された変調方式に基づくものである。復号部３３の復号処理部３１で処理するデータは、通信相手において符号化されたものであり、復号処理部３１ではこれに対応した復号処理が行われる。ここにいう符号化および復号の処理は、3GPP TS36.212（非特許文献２）に記載された符号化方式に基づくものである。
【００４１】
復号処理部３１の復号処理の後に、誤り検出部４２において誤り検出の一種であるCRCチェックがなされる。その結果として誤りが検出された場合には、リソース割当情報抽出部４４において通信リソースが抽出される。抽出されたパラメータとしての通信リソースは、リソース割当情報抽出部４４からパラメータ設定部４６に通知される。パラメータ設定部４６では、複数の値から選択したものとは別の値をパラメータに再設定し、復調処理部４７において通信相手から受信したユーザデータを再処理する。ここでは、例えば、使用可能な通信チャネル等の別の通信リソースを再設定し、復調処理部４７において受信したユーザデータを復調し直す。誤り検出部４２において、再び誤り検出処理を行い、誤りが検出されなければ、復号処理部４１に対して、再処理した方のユーザデータをMAC部３４に出力する。
【００４２】
その後、MAC部３４、RLC部３５、PDCP部３６およびGTPu部３７でそれぞれ処理が行われ、IP部３８を経由して、MME(Mobility Management Entity)等の上位装置に受け渡される。
【００４３】
図５は、誤りを含む無線リソースの割り当て内容を例示する図である。ここでは、無線通信方式をLTE(Long Term Evolution)として、移動局５０および基地局６０によって使用される無線リソースの割り当てを説明する。LTEでは、図５に示す通り、横軸を時間とし、縦軸を周波数とした時間・周波数平面上で特定の時間と周波数の領域に区分したリソースブロック毎に、チャネルが割り当てられている。図５では、チャネルが誤っていて全てのリソースブロックがチャネル＃１に割り当てられているものとする。
【００４４】
図６は、誤りを訂正した無線リソースの割り当て内容を例示する図である。図５において、誤って全てチャネル＃１に割り当てられたと表示されていたものは、図６に示す通り、一部はチャネル＃１を維持し、一部はチャネル＃２・＃３に変更し、残りは割り当てなしに訂正されている。
【００４５】
次に、図５および図６にて実行される誤り訂正の手順を説明する。
【００４６】
リソースブロック毎に順次、誤り検出を実施し、誤りが発生した時点で、別のチャネルの割り当てに変更する。例えば、チャネル＃１からチャネル＃２に変更する。このとき、以降のリソースブロックは全てチャネル＃２に変更して誤り検出の実行を継続する。次に、誤りが発生したリソースブロック以降は再び別のチャネルの割り当てに変更する。例えば、チャネル＃２からチャネル＃３に変更する。このように、所定の複数のチャネルのうち、別チャネルを順次設定して復調・復号することにより、正しい割り当てチャネルに訂正していくことができる。
【００４７】
以上のように実施の形態２によれば、ユーザデータの再送を抑制することによって伝送速度の低下を抑制でき、かつ簡易な構成でユーザデータの誤りを訂正することができる。
【００４８】
なお、ここでは、復号後の誤り検出により、通信リソースの割り当てに誤りがあるかを判断しているが、他にも、例えば、各チャネル＃１〜＃３で伝送するデータの容量(byte数)が所定の値と異なっていたら、通信リソースの割り当てに誤りがあると判断することも可能である。また、これ以外にも、移動局５０または基地局６０が保有し得る範囲の制御情報を参照して、訂正後のチャネルの候補を抽出し、その中から訂正後のチャネルを選択することができる。これによっても、ユーザデータの再送を抑制することによって伝送速度の低下を抑制でき、かつ簡易な構成でユーザデータの誤りを訂正することができる。
【００４９】
また、抽出した訂正後のチャネルの候補を用いて、処理遅延が大きくならない程度の負荷範囲内で、誤り検出がされなくなるまで、チャネルの変更を繰り返すことができる。繰り返し回数、あるいは、チャネルの変更回数については、処理遅延が大きくならない程度の負荷範囲内となるような閾値を設定しておいて、その閾値を超えた場合はそれ以上の復調・復号処理を止めて、誤りが発生しなかったリソースブロックのデータのみをMAC部１４またはMAC部３４に出力することも可能である。これによって、処理遅延を抑制しつつ、簡易な構成でユーザデータの誤りを訂正することができる。
【００５０】
ここで、例えば、LTE方式では、制御データを伝送するためのチャネルのひとつとしてPDCCH(Physical Downlink Control CHannel)、ユーザデータを伝送するためのチャネルのひとつとしてPDSCH(Physical Downlink Shared Channel)が使用される。このうちPDCCHには、PDSCHの無線リソース（リソースブロック）割当てに関する情報が含まれる。その情報が、不具合や、一時的な無線伝送品質劣化などにより、誤ることがある。その場合に、実際に受け取ったPDSCHのデータに対応したリソースブロックのみを有効なリソースブロックと判断し、それ以外のPDCCHが示すリソースブロックは無視するような制御を行うことも可能である。これにより、本来無線リソースに割当てられているデータを、誤ったチャネルと判断して復号してしまうような現象を防止することが出来る。
【００５１】
実施の形態３．
図７は、本発明の実施の形態３に係る移動局の構成を示す図である。移動局７０は、アンテナ１１、復調部１２、復号部１３、MAC(Media Access Control)部１４、RLC(Radio Link Control)部１５、PDCP(Packet Data Convergence Protocol)部１６およびGTPu(GPRS(General packet radio service) Tunneling Protocol for User Plane)部１７を備えている。復調部１２は、さらに、制御データ復調部７２およびユーザデータ復調部７３を備えている。復号部１３は、さらに、復号処理部２１、誤り検出部２２およびHARQ(Hybrid-Automatic Repeat reQuest)合成部７１を備えている。
【００５２】
制御データ復調部７２は、通信相手から受信した制御データから割当てられたパラメータを抽出し、ユーザデータ復調部７３に出力する。ここでのパラメータは、例えば、変調方式あるいは3GPP TS36.213(非特許文献３)に定義されるMCS(Modulation and Coding Scheme)等である。ユーザデータ復調部７３は、制御データ復調部７２によって抽出されたパラメータを使用してユーザデータを復調する。このユーザデータ復調部７３は、本発明の処理部に相当する。復調処理に限らず、ユーザデータに施す処理一般に適用可能である。HARQ合成部７１は、再送によって送信されてくる反復バージョン(Redundancy Version)の異なるユーザデータを合成する。誤り検出部２２は、復号処理部２１によって処理された合成後のユーザデータの誤りを検出する。
【００５３】
次に、実施の形態３における移動局の動作を説明する。
【００５４】
アンテナ１１において受信したデータは、復調部１２に渡される。このデータは、通信相手において変調されたものであり、復調部１２においてこれに対応した復調処理が行われる。復号部１３の復号処理部２１で処理するデータは、通信相手において符号化されたものであり、復号処理部２１ではこれに対応した復号処理が行われる。
【００５５】
復号処理部２１の復号処理の後に、誤り検出部２２において誤り検出の一種であるCRCチェックがなされる。その結果として誤りが検出された場合には、制御データ復調部７２においてパラメータが変更される。変更されたパラメータとしての変調方式等は、制御データ復調部７２からユーザデータ復調部７３に通知される。制御データ復調部７２では、複数の値から選択したものとは別の値をパラメータに再設定し、ユーザデータ復調部７３において通信相手から受信したユーザデータを再処理する。ここでは、例えば、使用可能な変調方式のうち別の変調方式を再設定し、ユーザデータ復調部７３において受信したユーザデータを復調し直す。誤り検出部２２において、再び誤り検出処理を行い、誤りが検出されなければ、復号処理部２１に対して、再処理した方のユーザデータをMAC部１４に出力する。
【００５６】
その後、MAC部１４、RLC部１５、PDCP部１６およびGTPu部１７でそれぞれ処理が行われ、上位処理に受け渡される。
【００５７】
図８は、本発明の実施の形態３に係る基地局の構成を示す図である。基地局８０は、アンテナ３１、復調部３２、復号部３３、MAC(Media Access Control)部３４、RLC(Radio Link Control)部３５、PDCP(Packet Data Convergence Protocol)部３６、GTPu(GPRS(General packet radio service) Tunneling Protocol for User Plane)部３７およびIP(Internet Protocol)部３８を備えている。復調部３２は、さらに、制御データ復調部８２およびユーザデータ復調部８３を備えている。復号部３３は、さらに、復号処理部４１、誤り検出部４２およびHARQ(Hybrid-Automatic Repeat reQuest)合成部８１を備えている。
【００５８】
制御データ復調部８２は、通信相手から受信した制御データから割当てられたパラメータを抽出し、ユーザデータ復調部８３に出力する。ここでのパラメータは、例えば、変調方式あるいは3GPP TS36.213(非特許文献３)に定義されるMCS(Modulation and Coding Scheme)等である。ユーザデータ復調部８３は、制御データ復調部８２によって抽出されたパラメータを使用してユーザデータを復調する。このユーザデータ復調部８３は、本発明の処理部に相当する。復調処理に限らず、ユーザデータに施す処理一般に適用可能である。HARQ合成部８１は、再送によって送信されてくる反復バージョン(Redundancy Version)の異なるユーザデータを合成する。誤り検出部４２は、復号処理部４１によって処理された合成後のユーザデータの誤りを検出する。
【００５９】
次に、実施の形態３における基地局の動作を説明する。
【００６０】
アンテナ３１において受信したデータは、復調部３２に渡される。このデータは、通信相手において変調されたものであり、復調部３２においてこれに対応した復調処理が行われる。復号部３３の復号処理部４１で処理するデータは、通信相手において符号化されたものであり、復号処理部４１ではこれに対応した復号処理が行われる。
【００６１】
復号処理部４１の復号処理の後に、誤り検出部４２において誤り検出の一種であるCRCチェックがなされる。その結果として誤りが検出された場合には、制御データ復調部８２においてパラメータが変更される。変更されたパラメータとしての変調方式等は、制御データ復調部８２からユーザデータ復調部８３に通知される。制御データ復調部８２では、複数の値から選択したものとは別の値をパラメータに再設定し、ユーザデータ復調部８３において通信相手から受信したユーザデータを再処理する。ここでは、例えば、使用可能な変調方式のうち別の変調方式を再設定し、ユーザデータ復調部８３において受信したユーザデータを復調し直す。誤り検出部４２において、再び誤り検出処理を行い、誤りが検出されなければ、復号処理部４１に対して、再処理した方のユーザデータをMAC部３４に出力する。
【００６２】
その後、MAC部３４、RLC部３５、PDCP部３６およびGTPu部３７でそれぞれ処理が行われ、IP部３８を経由して、MME(Mobility Management Entity)等の上位装置に受け渡される。
【００６３】
仮に、再送された制御データの復調が誤り、初送とは異なる変調方式またはMCS(再送用ではないMCS)が判定され、その情報を元にユーザデータ復調部７３，８３にて、PDSCHの復調を実施すると、本来、初送と再送で変調方式は同一であるはずなので、初送のユーザデータと再送のそれとで正しくHARQ合成できなくなる。再送を複数回繰返す場合は、例えば2回目の再送と3回目の再送とでHARQ合成ができなくなる。HARQ合成ができなくなるというのは、どちらかが誤った復調をして求められた符号化系列なので、合成時に、符号化利得が得られず、却って劣化してしまい、復号処理後に誤りが検出されることになる。
【００６４】
実施の形態３では、変調方式がHARQ再送中に変化してしまう上記の様な問題が発生した場合に、制御データ復調部７２，８２にて、前回受信した変調方式(またはMCS)と異なる方式が抽出されたとしても、同じ変調方式(MCS)に変更して、ユーザデータ(PDSCH)を復号する。MCSについて言えば、例えば、初送：28(64QAM)、再送1回目：31(64QAM)、再送2回目：30(16QAM)のようになってしまった場合に、再送2回目のDL MCSを30ではなく31としてユーザデータの復調を行う。これにより、HARQ再送中に変調方式の情報を誤認識して誤った復調・復号を行ってしまうのを避けることができるので、受信性能を良好に維持することができる。すなわち、ユーザデータの再送を抑制することによって伝送速度の低下を抑制でき、かつ簡易な構成でユーザデータの誤りを訂正することができる。
【符号の説明】
【００６５】
１０，５０，７０  移動局
１１，３１  アンテナ
１２，３２  復調部
１３，３３  復号部
１４，３４  MAC部
１５，３５  RLC部
１６，３６  PDCP部
１７，３７  GTPu部
２１，４１  復号処理部
２２，４２  誤り検出部
２３，２６，４３，４６  パラメータ設定部
２４，４４  リソース割当情報抽出部
２７，４７  復調処理部
３０，６０，８０  基地局
３８  IP部
３９  スケジューラ
７１，８１  HARQ合成部
７２，８２  制御データ復調部
７３，８３  ユーザデータ復調部
【図１】
2015201670.tif 000003
【図２】
2015201670.tif 000004
【図３】
2015201670.tif 000005
【図４】
2015201670.tif 000006
【図５】
2015201670.tif 000007
【図６】
2015201670.tif 000008
【図７】
2015201670.tif 000009
【図８】
2015201670.tif 000010